(57)【要約】【課題】  浴剤収納容器を合成樹脂材で安価に形成でき、かつ該容器内へ浴剤を入れた状態で湯中を容器正立状態を保って浮遊できるよう設けた。【解決手段】  上面開口で湯水出入孔４付きの容器本体１上面を、蓋体11で開閉自在に閉塞する容器を合成樹脂材で成形し、蓋体頂板の中央部を半球面状に隆起させ、該隆起部19内をフロートとしての空気溜り20とした。【選択図】  図４
2006334040.tif 000002
【特許請求の範囲】
【請求項１】
上面開口の容器本体１と、該容器本体上面を開閉自在に閉塞する蓋体11とを有し、
蓋体11は、頂板12に隆起部19を設け、該隆起部内面でフロートとしての空気溜り20を形成し、又容器本体１には複数の湯水出入孔４を穿設した
ことを特徴とする浴剤収納容器。
【請求項２】
上記隆起部19下端を頂板12下方まで延長させて該延長筒部と隆起部との各内面とで空気溜りを形成し、又隆起部19周囲に空気抜き孔22を穿設した
ことを特徴とする請求項１記載の浴剤収納容器。
【請求項３】
上記容器本体１上端の外周一部と蓋体11の外周一部とを、肉薄ヒンジ16を介して、一体に連結すると共に、該肉薄ヒンジと対向する蓋体外周部分からフック17を垂下させて、該フックに対応する容器本体上端外周部分に付設した突条18へのフック係合で閉蓋状態を保持可能に形成した
ことを特徴とする請求項１又は２記載の浴剤収納容器。
【請求項４】
上記容器本体１を、下部小径のテーパ状として同一形状かつ同一大きさとした複数の容器を設け、開蓋状態にあっては下位容器の容器本体１内へ上位容器の容器本体１を、かつ下位容器の蓋体上へ上位容器の蓋体を、それぞれ位置させて積重ね可能に形成した
ことを特徴とする請求項３記載の浴剤収納容器。
【発明の詳細な説明】
【技術分野】
【０００１】
本発明は浴槽の湯に浮かべ、容器内に収納させた浴剤を湯中に溶解させることが可能とした浴剤収納容器に関する。
【背景技術】
【０００２】
頂板下面から下端開口の筒部を垂下するフロートと、上記筒部の下部外面へ螺合させた嵌合筒下端に内向きフランジを付設する連結部材と、浴剤を収納させた通水孔付き容器体の周壁上端に付設した外向きフランジを上記内向きフランジ上面へ載置させ、かつ該内向きフランジのフランジ孔から容器体を下方へ垂下させ、又外向きのフランジ上面をフィルムで閉塞させた容器が知られている。（特許文献１）。
【特許文献１】実公平６−４０８号公報
【発明の開示】
【発明が解決しようとする課題】
【０００３】
上記容器は、フロートと連結部材と容器体とで形成するが、これ等は個別に形成するためにコスト高となる欠点があった。
【０００４】
本発明は蓋体中央部にフロートとしての空気溜りを設けて、容器が常に正立状態を保って湯中を浮遊でき、容器体内へ収納させた浴剤成分が湯中に滲出し、又浴剤が溶解できるよう設け、又容器の構造が簡易で廉価とすることが可能としたものである。
【課題を解決するための手段】
【０００５】
第１の手段として、上面開口容器本体１と、該容器本体上面を開閉自在に閉塞する蓋体11とを有し、これ等容器本体と蓋体とは合成樹脂材で成形し、
蓋体11は、頂板12に隆起部19を設け、該隆起部内面でフロートとしての空気溜り20を形成し、又容器本体１には複数の湯水出入孔４を穿設した。
【０００６】
第２の手段として、上記第１の手段を有すると共に、記隆起部19下端を頂板12下方まで延長させて該延長筒部と隆起部との各内面とで空気溜りを形成し、又隆起部19周囲に空気抜き孔22を穿設した。
【０００７】
第３の手段として、上記第１又は第２の手段を有し、かつ上記容器本体１上端の外周一部と蓋体11の外周一部とを、肉薄ヒンジ16を介して、一体に連結すると共に、該肉薄ヒンジと対向する蓋体外周部分からフック17を垂下させて、該フックに対応する容器本体上端外周部分に付設した突条18へのフック係合で閉蓋状態を保持可能に形成した。
【０００８】
第４の手段として、上記第３の手段を有すると共に上記容器本体１を、下部小径のテーパ状として同一形状かつ同一大きさとした複数の容器を設け、開蓋状態にあっては下位容器の容器本体１内へ上位容器の容器本体１を、かつ下位容器の蓋体上へ上位容器の蓋体を、それぞれ位置させて積重ね可能に形成した。
【発明の効果】
【０００９】
請求項１記載の構成とすることで、多数の湯水出入孔４を有する容器本体上面を閉塞する蓋体の頂板中央部を半球面状に隆起させ、該隆起部内面で空気溜り20を形成するから、該空気溜りがフロートを形成することで常に正立状態を保って容器を浴槽の湯中に浮遊させることが出来、その容器内へ収納させた浴剤の溶解滲出をスムーズに行うことが出来る。
【００１０】
請求項２のように上記隆起部下端を頂板12下方まで延長して該延長筒部21と隆起部内面とで空気溜り20を形成し、かつ隆起部を囲む頂板外周部分へ複数の空気抜き孔22を穿設することで、上記湯中浮遊時の安定度を請求項１の場合よりも更に高めることができる。
【００１１】
請求項３のように容器本体と蓋体とを肉薄ヒンジ16を介して一体成形することで、コストを廉価にでき、又フック係合で閉蓋状態の保持が確実となる。
【００１２】
請求項４のようにすることで、容器輸送を多数容器積重ね状態で行うことが出来、輸送コストを廉価とできる。
【発明を実施するための最良の形態】
【００１３】
以下図面について説明すると、１は容器本体で、該容器本体は、図２が示すようにほぼ正方形状の底板２外周から上部大径のテーパ状の本体周壁３を隆起している。該容器本体周壁も横断面正方形状で、その上部を除く部分へは湯水出入孔４を複数縦設しており、底板にも複数湯水出入孔４を穿設している。本体周壁上部５は下向き段部６を介して大外径の非テーパ状筒とし、かつその上部の上端部は上向き段部７を介して小外径部８としている。
【００１４】
11は上記容器本体上面を開閉自在に閉塞する蓋体で、頂板12外周から蓋体周壁13を垂下し、該周壁下端部は下向き段部14を介して大内径部15としている。
【００１５】
上記蓋体周壁13の下端一部と本体周壁３の上向き段部７の外縁一部とは肉薄ヒンジ16を介して連結させており、該肉薄ヒンジを中心として蓋体11を回動させることで、本体周壁上端部の小外径部８外面へ蓋体周壁13下端部の大内径部15を、上記上向き段部７上へ蓋体周壁13下端面を載置させて嵌合させることが可能としている。
【００１６】
上記肉薄ヒンジ16と対向する側の蓋体周壁下端一部からは蓋体閉蓋用のフック17を垂下させており、蓋体閉蓋時にそのフック下端と対応する本体周壁上部の上向き段部７の外縁からは突条18を外方へ突出させており、その突条へフック17下端を係合させて蓋体閉蓋状態を保持可能としている。
【００１７】
蓋体頂板12の中央部は、半球面上に上方へ隆起させて、該隆起部19内をフロートとしての空気溜り20としている。該空気溜りはその隆起部の周壁下端を図示のように頂板12下方まで延長して該延長筒部21の内面と上記隆起部19の内面とで形成してもよい。又隆起部19を囲む頂板12部分へはほぼ等間隔に空気抜き孔22を穿設している。
【００１８】
上記容器は、図３が示すように、同一形状かつ同一大きさに形成した複数容器を、開蓋状態において、下位容器の容器本体内へ上位容器の容器本体を嵌合させ、又下位容器の蓋体上方へ上位容器の蓋体を位置させて積重ね可能に形成することが望ましい。該積重ね状態で下位容器蓋体の隆起部内へ上位容器蓋体の隆起部が嵌合するよう設けている。
【００１９】
上記容器内へは、図４が示すように浴剤31を収納させ、閉蓋させて浴槽の湯中に浮かべる。浴剤31は固形物でも、又粉末状でもよく、粉末状の場合は適宜通水性の袋内へ収納させる。
【００２０】
既述のように隆起部19の周壁下端を頂板12下方まで延長させ、かつその隆起部を囲む頂板部分へ空気抜き孔22を穿設した場合は、上記隆起部および延長筒部21内が形成する空気溜りだけがフロートを形成することとなるが、上記延長筒部を設け、かつ空気抜き孔22を穿設しない場合は延長筒部21と蓋体周壁13との間の頂板部分下方にも空気が残ることとなり、その頂板部分下方が空気溜り予備室を形成することとなる。
【図面の簡単な説明】
【００２１】
【図１】本発明容器の半断面図である。
【図２】図１容器を開蓋状態で示す平面図である。
【図３】図１の複数容器を開蓋のまま積重ねた状態を示す断面図である。
【図４】図１容器内に浴剤を入れ、かつ湯中に浮かべた状態を示す半断面図である。
【符号の説明】
【００２２】
１  容器本体                        ３  本体周壁
４  湯水出入孔                      ５  本体周壁上部
11  蓋体                            12  頂板
13  蓋体周壁                        16  肉薄ヒンジ
17  フック                          19  隆起部
20  空気溜り                        21  延長筒部
22  空気抜き孔                      31  浴剤
【図１】
2006334040.tif 000003
【図２】
2006334040.tif 000004
【図３】
2006334040.tif 000005
【図４】
2006334040.tif 000006